(57)【要約】【課題】  携帯に有利な楽器ケース用ベルト及びこのベルトを備える楽器ケースを提供する。【解決手段】  一端部１０ａが他端部側１０ｂに向かうように折り返された折返し部１０ｃを有するベルト本体１０と、ベルト本体１０の一端部１０ａに設けられ、ベルト本体１０の中間部であって折返し部１０ｃよりも他端部１０ｂ寄りの部分が挿通されている挿通孔１１ｄを有し、ベルト本体１０が延びる方向にスライド可能な調整環１１と、ベルト本体１０より幅広に形成され、一端部１４ａにベルト本体１０が挿通されているベルト挿通孔１５を有し、他端部１４ｂにベルト本体１０の他端部１０ｂが取り付けられているクッションパッド１４と、クッションパッド１４の他端部１４ｂに取り付けられ、楽器ケース１００に着脱自在な第１留具１２と、折返し部１０ｃに挿通されてベルト本体１０が延びる方向にスライド自在な環状部１３ｂを有し、楽器ケース１００に着脱自在な第２留具１３と、を備え、ベルト挿通孔１５は、調整環１１を挿通可能に構成する。【選択図】図１
2014018567.tif 000002
【特許請求の範囲】
【請求項１】
一端部が他端部側に向かうように折り返された折返し部を有するベルト本体と、
前記ベルト本体の一端部に設けられ、前記ベルト本体の中間部であって折返し部よりも他端部寄りの部分が挿通されている挿通孔を有し、前記ベルト本体が延びる方向にスライド可能な調整環と、
前記ベルト本体より幅広に形成され、一端部に前記ベルト本体が挿通されているベルト挿通孔を有し、他端部に前記ベルト本体の他端部が取り付けられているクッションパッドと、
前記クッションパッドの他端部に取り付けられ、楽器ケースに着脱自在な第１留具と、
前記折返し部に挿通されて前記ベルト本体が延びる方向にスライド自在な環状部を有し、前記楽器ケースに着脱自在な第２留具と、を備え、
前記ベルト挿通孔は、前記調整環を挿通可能である、楽器ケース用ベルト。
【請求項２】
前記パッドの他端部は、前記第１留具よりも前記パッドの一端部から他端部に向かう方向に突出している、請求項１に記載の楽器ケース用ベルト。
【請求項３】
互いに外向きの一対の面と、前記一対の面を接続する周囲面とを有し、内部に楽器の収納が可能な楽器ケース本体と、一対の請求項１又は２に記載の楽器ケース用ベルトとを備える楽器ケースであって、
前記楽器ケース本体は、
前記周囲面に設けられ、前記一対の楽器ケース用ベルトの何れか一方の前記第１留具及び前記第２留具がそれぞれ取り付けられる一対の肩掛け用係合環と、
前記対向する一対の面の何れか一方の面に設けられ、前記一対の楽器ケース用ベルトの前記第１留具が取り付けられる背負い用上部係合環と、
前記上部係合環が設けられている面の前記上部係合環の下方に設けられ、前記一対の楽器ケース用ベルトの前記第２留具がそれぞれ取り付けられる一対の背負い用下部係合環と、を有する楽器ケース。
【請求項４】
一端部が他端部側に向かうように折り返された折返し部を有するベルト本体と、
前記ベルト本体の一端部に設けられ、前記ベルト本体の中間部であって折返し部よりも他端部寄りの部分が挿通されている挿通孔を有し、前記ベルト本体が延びる方向にスライド可能な調整環と、
前記ベルト本体より幅広に形成され、一端部に前記ベルト本体が挿通されているベルト挿通孔を有するクッションパッドと、
前記ベルト本体の他端部に取り付けられ、楽器ケースに着脱自在な第１留具と、
前記ベルト本体をその長さ方向にスライド自在に支持し、且つ前記クッションパッドに係止する係止部材と、
前記クッションパッドの他端部に取り付けられ、前記楽器ケースに着脱自在な第２留具と、を備え、
前記ベルト挿通孔は、前記調整環を挿通可能である、楽器ケース用ベルト。
【請求項５】
前記パッドの他端部は、前記第２留具よりも前記パッドの一端部から他端部に向かう方向に突出している、請求項４に記載の楽器ケース用ベルト。
【請求項６】
互いに外向きの一対の面と、前記一対の面を接続する周囲面とを有し、内部に楽器の収納が可能な楽器ケース本体と、一対の請求項４又は５に記載の楽器ケース用ベルトとを備える楽器ケースであって、
前記楽器ケース本体は、
前記周囲面に設けられ、前記一対の楽器ケース用ベルトの何れか一方の前記第１留具及び前記第２留具がそれぞれ取り付けられる一対の肩掛け用係合環と、
前記対向する一対の面の何れか一方の面に設けられ、前記一対の楽器ケース用ベルトの前記第２留具が取り付けられる背負い用上部係合環と、
前記上部係合環が設けられている面の前記上部係合環の下方に設けられ、前記一対の楽器ケース用ベルトの前記第１留具がそれぞれ取り付けられる一対の背負い用下部係合環と、を有する楽器ケース。
【請求項７】
前記楽器ケース本体はギターの収納ケースである、請求項３又は６に記載の楽器ケース。
【発明の詳細な説明】
【技術分野】
【０００１】
本発明は、楽器を携帯する際に楽器を収納する楽器ケースを支持するために用いるベルト及びこのベルトを備える楽器ケースに関する。
【背景技術】
【０００２】
従来から、使用者がバックを背負い式に使用するための着脱型背負い専用ベルトが用いられている（例えば特許文献１参照）。
【０００３】
この着脱型背負い専用ベルトは、帯状クッション材及びベルト材が一体化した背負いベルト部と、背負いベルト部の上端部にバッグの背負い用上部リングに取り付けられるように設けられた第１の取付フックと、ベルト部の下端部から延びる下部取付ベルト部と、下部取付ベルト部の長さを調節するように取り付けられた調節環と、下部取付ベルト部をバッグの背負い用下部リングに取り付ける第２の取付フックとを備えている。そして、使用時においては、バックに着脱型背負い専用ベルトを２つ取り付け、それぞれの背負いベルト部に腕を通して背負い使用する。
【先行技術文献】
【特許文献】
【０００４】
【特許文献１】登録実用新案第３０６６９３０号公報
【発明の概要】
【発明が解決しようとする課題】
【０００５】
しかし、特許文献１に記載の着脱型背負い専用ベルトは、使用者の体格にあった長さとなるようにその長さを若干変更することができるに過ぎず、バックを肩から提げて使用するために適した長さとなるようにその長さを大きく変更することは困難であった。
【課題を解決するための手段】
【０００６】
上記課題を解決するため、本発明に係る楽器ケース用ベルトは、一端部が他端部側に向かうように折り返された折返し部を有するベルト本体と、前記ベルト本体の一端部に設けられ、前記ベルト本体の中間部であって折返し部よりも他端部寄りの部分が挿通されている挿通孔を有し、前記ベルト本体が延びる方向にスライド可能な調整環と、前記ベルト本体より幅広に形成され、一端部に前記ベルト本体が挿通されているベルト挿通孔を有し、他端部に前記ベルト本体の他端部が取り付けられているクッションパッドと、前記クッションパッドの他端部に取り付けられ、楽器ケースに着脱自在な第１留具と、前記折返し部に挿通されて前記ベルト本体が延びる方向にスライド自在な環状部を有し、前記楽器ケースに着脱自在な第２留具と、を備え、前記ベルト挿通孔は、前記調整環を挿通可能である。
【０００７】
この構成によれば、楽器ケース用ベルトの長さを楽器ケースの複数の支持方法に応じた長さとなるように調整することができる。これによって、楽器ケースの複数の支持方法に応じた数の楽器ケース用ベルトを用意する必要がなくなり、楽器ケースの構成が簡素になり、また楽器ケースが軽量となる。よって、携帯に有利となる。
【０００８】
前記パッドの他端部は、前記第１留具よりも前記パッドの一端部から他端部に向かう方向に突出していてもよい。
【０００９】
この構成によれば、使用者が楽器ケースを背負った際、使用者の肩に第１留具が当接し、食い込むことを防ぐことができる。
【００１０】
上記課題を解決するため、本発明に係る楽器ケースは、互いに外向きの一対の面と、前記一対の面を接続する周囲面とを有し、内部に楽器の収納が可能な楽器ケース本体と、一対の請求項１又は２に記載の楽器ケース用ベルトとを備える楽器ケースであって、前記楽器ケース本体は、前記周囲面に設けられ、前記一対の楽器ケース用ベルトの何れか一方の前記第１留具及び前記第２留具がそれぞれ取り付けられる一対の肩掛け用係合環と、前記対向する一対の面の何れか一方の面に設けられ、前記一対の楽器ケース用ベルトの前記第１留具が取り付けられる背負い用上部係合環と、前記上部係合環が設けられている面の前記上部係合環の下方に設けられ、前記一対の楽器ケース用ベルトの前記第２留具がそれぞれ取り付けられる一対の背負い用下部係合環と、を有する。
【００１１】
この構成によれば、使用者は、臨機応変に楽器ケースを肩にから提げて支持したり、背負って支持したりすることができる。
【００１２】
上記課題を解決するため、本発明に係る楽器ケース用ベルトは、一端部が他端部側に向かうように折り返された折返し部を有するベルト本体と、前記ベルト本体の一端部に設けられ、前記ベルト本体の中間部であって折返し部よりも他端部寄りの部分が挿通されている挿通孔を有し、前記ベルト本体が延びる方向にスライド可能な調整環と、前記ベルト本体より幅広に形成され、一端部に前記ベルト本体が挿通されているベルト挿通孔を有するクッションパッドと、前記ベルト本体の他端部に取り付けられ、楽器ケースに着脱自在な第１留具と、前記ベルト本体をその長さ方向にスライド自在に支持し、且つ前記クッションパッドに係止する係止部材と、前記クッションパッドの他端部に取り付けられ、前記楽器ケースに着脱自在な第２留具と、を備え、前記ベルト挿通孔は、前記調整環を挿通可能である。
【００１３】
この構成によれば、楽器ケース用ベルトの長さを楽器ケースの複数の支持方法に応じた長さとなるように調整することができる。これによって、楽器ケースの複数の支持方法に応じた数の楽器ケース用ベルトを用意する必要がなくなり、楽器ケースの構成が簡素になり、また楽器ケースが軽量となる。よって、携帯に有利となる。
【００１４】
前記パッドの他端部は、前記第２留具よりも前記パッドの一端部から他端部に向かう方向に突出していてもよい。
【００１５】
この構成によれば、使用者が楽器ケースを背負った際、使用者の肩に第２留具が当接し、食い込むことを防ぐことができる。
【００１６】
上記課題を解決するため、本発明に係る楽器ケースは、互いに外向きの一対の面と、前記一対の面を接続する周囲面とを有し、内部に楽器の収納が可能な楽器ケース本体と、一対の請求項４又は５に記載の楽器ケース用ベルトとを備える楽器ケースであって、前記楽器ケース本体は、前記周囲面に設けられ、前記一対の楽器ケース用ベルトの何れか一方の前記第１留具及び前記第２留具がそれぞれ取り付けられる一対の肩掛け用係合環と、
前記対向する一対の面の何れか一方の面に設けられ、前記一対の楽器ケース用ベルトの前記第２留具が取り付けられる背負い用上部係合環と、前記上部係合環が設けられている面の前記上部係合環の下方に設けられ、前記一対の楽器ケース用ベルトの前記第１留具がそれぞれ取り付けられる一対の背負い用下部係合環と、を有する。
【００１７】
この構成によれば、使用者は、臨機応変に楽器ケースを肩にから提げて支持したり、背負って支持したりすることができる。
【００１８】
前記楽器ケース本体はギターの収納ケースであれば、ギターを好適に携帯することができる。
【発明の効果】
【００１９】
本発明は、以上に説明したように構成され、楽器ケースの複数の支持方法に応じた数の楽器ケース用ベルトを用意する必要がなくなり、楽器ケースの構成を簡素になり、また楽器ケースが軽量となる。よって、携帯に有利となるという効果を奏する。
【図面の簡単な説明】
【００２０】
【図１】本発明の実施の形態１に係る楽器ケースの構成例を示す図であり、使用者が楽器ケースを背負うことができるように楽器ケース用ベルトを取り付けた状態を示す図である。
【図２】図１の楽器ケースの構成例を示す図であり、使用者が楽器ケースを肩から提げることができるように楽器ケース用ベルトを取り付けた状態を示す図である。
【図３】図１の楽器ケースの楽器ケース用ベルトの構成例を示す正面図である。
【図４】図１の楽器ケースの楽器ケース用ベルトの構成例を示す背面図である。
【図５】図１の楽器ケースの楽器ケース用ベルトの構成例を示す正面図であり、楽器ケース用ベルトを伸ばした状態を示す正面図である。
【図６】本発明の実施の形態２に係る楽器ケースの楽器ケース用ベルトの構成例を示す正面図である。
【図７】図６の楽器ケースの楽器ケース用ベルトの構成例を示す正面図であり、楽器ケース用ベルトを伸ばした状態を示す正面図である。
【発明を実施するための形態】
【００２１】
以下、本発明の実施の形態を図面を参照しながら説明する。
【００２２】
なお、以下では全ての図面を通じて、同一又は相当する要素には同じ参照番号を付して、その重複する説明を省略する。
【００２３】
（実施の形態１）
［構成］
図１は、本発明の実施の形態１に係る楽器ケース１００の構成例を示す図であり、使用者が楽器ケース１００を背負うことができるように楽器ケース用ベルト１を取り付けた状態を示す図である。図２は、本発明の実施の形態に係る楽器ケース１００の構成例を示す図であり、使用者が楽器ケース１００を肩から提げることができるように楽器ケース用ベルト１を取り付けた状態を示す図である。
【００２４】
図１及び図２に示すように、楽器ケース１００は、楽器ケース本体２と、一対の楽器ケース用ベルト１とを有する。この楽器ケース１００は、後述するように、楽器ケース用ベルト１を用いて、臨機応変に、これを肩から提げて支持したり、背負って支持したりすることができるようになっている。例えば、楽器ケース１００を比較的短い距離携帯する場合は、容易に楽器ケース１００を支持して携帯することができるように、楽器ケース１００を肩から提げて支持することが好ましい。一方、楽器ケース１００を比較的長い距離携帯する場合は、使用者の身体への負担が少なくなるように、楽器ケース１００を背負って支持することが好ましい。
【００２５】
楽器ケース本体２は、周壁部４２と周壁部４２の下側縁部に連設された底部４１（互いに外向きの一対の面の何れか一方の面）と周壁部４２の上側縁部によって形成される上側開口部（図示せず）を有する収納部４０と、収納部４０の上側開口部の開放及び閉鎖を行う蓋部（図示せず）とを有し、内部に楽器を収納することができるようになっている。本実施の形態において、楽器ケース本体２は、ギターの収納ケースである。
【００２６】
そして、楽器ケース本体２の例えば周壁部４２には、一対の肩掛け用係合環４３が設けられている。肩掛け用係合環４３は、楽器ケース１００を肩から提げて支持する際、楽器ケース用ベルト１を取り付けるものである。
【００２７】
そして、楽器ケース本体２の例えば底部４１には、背負い用上部係合環４４と、一対の背負い用下部係合環４５とが設けられている。一対の背負い用下部係合環４５は、それぞれ背負い用上部係合環４４の下方の背負い用上部係合環４４からの距離が同じとなる位置に設けられている。背負い用上部係合環４４及び背負い用下部係合環４５は、楽器ケース１００を背負って支持する際、楽器ケース用ベルト１を取り付けるものである。
【００２８】
図３は、楽器ケース用ベルト１の構成例を示す正面図である。図４は、楽器ケース用ベルト１の構成例を示す背面図である。図５は、楽器ケース用ベルト１を伸ばした状態を示す正面図である。
【００２９】
図３に示すように、楽器ケース用ベルト１は、ベルト本体１０と、調整環１１と、第１留具１２と、第２留具１３と、クッションパッド１４とを備えている。
【００３０】
ベルト本体１０は、帯状に形成され、その長さ方向における折り曲げが容易な柔軟な材料によって構成されている。そして、ベルト本体１０の一方の端部である第１端部１０ａがベルト本体１０の他方の端部である第２端部１０ｂに向かうように折り返されている。これによって、ベルト本体１０は、ベルト本体１０が折り重なった折返し部１０ｃ（正面視における調整環１１から折返し端１０ｅまでの部分）と、その残余部１０ｄ（正面視における第２端部１０ｂから調整環１１までの部分）とが形成されている。また、第１端部１０ａが第２端部１０ｂに向かうように折り返されることによって折り曲げられた部分は、ベルト本体１０の折返し端１０ｅを構成している。
【００３１】
調整環１１は、折返し部１０ｃと残余部１０ｄとの境界にあたる位置にあり、一対の側辺部１１ａと、この一対の側辺部１１ａの両端を連結する端部連結辺部１１ｂと、この一対の側辺部１１ａの中間部を連結する中間連結辺部１１ｃとを有する。これによって、二つの挿通孔１１ｄが中間連結辺部１１ｃの各端部連結辺部１１ｂ側に形成されている。
【００３２】
そして、ベルト本体１０の第１端部１０ａは中間連結辺部１１ｃに取り付けられている。即ち、第１端部１０ａは、部分的に折り返され、この折り返された部分に調整環１１の中間連結辺部１１ｃが位置するように二つの挿通孔１１ｄに挿通されている。そして、折り返されている部分の先端は、ベルト本体１０と重ね合わされた上で互いに縫合されている。また、折返し部１０ｃの第２端部１０ｂと反対側の端部（ベルト本体１０の中間部であって折返し部よりも他端寄りの部分）は、二つの挿通孔１１ｄに挿通され、残余部１０ｄに連なっている。
【００３３】
そして、調整環１１をベルト本体１０が延びる方向に沿ってスライドさせることによって、ベルト本体１０の折返し部１０ｃ及び残余部１０ｄの寸法が変わり、折り返されたベルト本体１０の全長、即ち、第２端部１０ｂから折返し端１０ｅまでの長さ寸法を変えられるようになっている。つまり、調整環１１を折返し端１０ｅ側にスライドさせると、折り返されたベルト本体１０の全長は、図５に示すように長くなる。一方、調整環１１を第２端部１０ｂ側にスライドさせると、折り返されたベルト本体１０の全長は、図３に示すように短くなる。
【００３４】
第１留具１２は、後述するクッションパッド１４の第２端部１４ｂに取り付けられ、楽器ケース１００に着脱自在である。本実施の形態において、第１留具１２は、例えば、フック及び脱落防止機構を備えるフック部１２ａと、フック部１２ａの基端部に連結された環状部１２ｂとを備え、ベルト本体１０の第２端部１０ｂに取り付けられている。これによって、後述するようにベルト本体１０の第２端部１０ｂがクッションパッド１４の他方の端部である第２端部１４ｂに取り付けられているため、第１留具１２は、クッションパッド１４の第２端部１４ｂに取り付けられている。なお、本実施の形態においては、第１留具１２はベルト本体１０の第２端部１０ｂに取り付けられているがこれに限られるものではなく、これに代えて、第１留具１２はクッションパッド１４に直接取り付けられていてもよい。
【００３５】
フック部１２ａの脱落防止機構は、フックの基端部とフックの基端部に向かって湾曲するフックの先端部との間に形成される間隙の開放及び閉鎖を行う周知の機構であり、この間隙の開放を行うことによって、第１留具１２を肩掛け用係合環４３、背負い用上部係合環４４及び背負い用下部係合環４５に引っ掛けたり、これらから取り外したりすることができる。また、フックの基端部と先端部との間隙を閉鎖すると、肩掛け用係合環４３、背負い用上部係合環４４及び背負い用下部係合環４５に引っ掛けられた第１留具１２が脱落しないようになっている。
【００３６】
環状部１２ｂは、ベルト本体１０の第２端部１０ｂに取り付けられている。即ち、第２端部１０ｂは、挿通孔１１ｄに挿通された上で部分的に折り返され、折り返されている部分は、ベルト本体１０と重ね合わされた上で互いに縫合されている。
【００３７】
第２留具１３は、本実施の形態において、第１留具１２と略同一の形状に形成されている。そして、第２留具１３の環状部１３ｂは、ベルト本体１０が挿通され折返し端１０ｅに位置している。これによって、第２留具１３は、ベルト本体１０が延びる方向に沿ってスライド自在となっている。調整環１１をベルト本体１０が延びる方向に沿ってスライドさせると、ベルト本体１０における折返し端１０ｅの位置も変わることになるが、第２留具１３は、ベルト本体１０が延びる方向に沿ってスライド自在となっているため、ベルト本体１０における折返し端１０ｅの位置が変わっても、第２留具１３をベルト本体１０が延びる方向にスライドさせて折返し端１０ｅに位置させることができる。
【００３８】
クッションパッド１４は、本実施の形態において、弾性を有する材料によって構成された帯状の布状体であり、クッションパッド１４の幅は、ベルト本体１０よりも幅広に形成されている。楽器ケース用ベルト１を用いて楽器ケース１００を背負ったり、肩から提げた際に、ベルト本体１０と使用者との間にクッションパッド１４が位置するように楽器ケース用ベルト１を用いると、使用者の身体に与える楽器ケース１００の荷重を分散させることができ、使用者が楽に楽器ケース１００を持ち運びすることができる。
【００３９】
そして、クッションパッド１４は、一方の端部である第１端部１４ａにクッションパッド１４の一方の面から他方の面まで貫通するベルト本体１０と略同一の幅寸法の切り込みを入れることによって形成された、ベルト挿通孔１５を有する。ベルト挿通孔１５には、ベルト本体１０が挿通されている。
【００４０】
そして、ベルト本体１０の第２端部１０ｂから折返し端１０ｅに向かう方向をクッションパッド１４の第２端部１４ｂから第１端部１４ａに向かう方向と一致させてベルト本体１０の第２端部１０ｂがクッションパッド１４の他方の端部である第２端部１４ｂに取り付けられている。よって、ベルト本体１０の折返し端１０ｅは、正面視において第１端部１４ａの外側に位置している。本実施の形態においては、ベルト本体１０とクッションパッド１４とは縫合されることによって取り付けられているがこれに限られるものではなく、例えばこれに代えて、貼着されることによって取り付けられていてもよい。そして、ベルト本体１０はクッションパッド１４に第２端部１０ｂから折返し端１０ｅに向かってクッションパッド１４の長さの１／５以上１／２以下の長さに亘って縫合又は貼着されることが好ましい。クッションパッド１４の長さの１／５以上の長さに亘って縫合又は貼着されると、クッションパッド１４の表面からベルト本体１０が浮き上がって、クッションパッド１４とベルト本体１０との間に隙間が生じることによる使い勝手の悪化を低減することができる。また、クッションパッド１４の長さの１／２以下の長さに亘って縫合又は貼着されると、楽器ケース用ベルト１の長さを楽器ケース１００を肩から提げる場合及び背負う場合に応じた適切な長さとなるように好適に調整することができる。
【００４１】
そして、ベルト挿通孔１５は、調整環１１が挿通可能に構成されている。本実施の形態において、ベルト挿通孔１５は、ベルト本体１０と略同一の幅寸法であるが、上述の通りクッションパッド１４は弾性を有する素材によって構成されているので、調整環１１を挿通させることができる寸法に拡張することができるようになっている。これによって、図３及び図５に示すように、調整環１１をベルト本体１０が延びる方向におけるベルト挿通孔１５の何れの側にも位置させることができる。したがって、調整環１１をベルト挿通孔１５に挿通することができない場合と比較して、調整環１１をベルト本体１０が延びる方向に沿って大きくスライドさせることができ、折り返されたベルト本体１０の全長、即ち、第２端部１０ｂから折返し端１０ｅまでの長さ寸法を大きく変更することができる。
【００４２】
また、本実施の形態において、クッションパッド１４の第２端部１４ｂは、第１留具１２よりもクッションパッド１４の第１端部１４ａから第２端部１４ｂに向かう方向に突出するように形成されている。これによって、図１に示すように、楽器ケース１００を背負った際に使用者の肩に第１留具１２が食い込まないようになっており、使用者の身体にかかる負担を軽減することができる。
【００４３】
［使用例］
次に、本実施の形態の楽器ケース１００の使用例を説明する。
【００４４】
まず、楽器ケース１００を背負って使用するときは、図３に示すように、ベルト挿通孔１５よりも第２端部１０ｂ側において調整環１１を動かし、楽器ケース１００を背負うために適した長さに楽器ケース用ベルト１の全長を調整する。
【００４５】
次に、図１に示すように、一対の楽器ケース用ベルト１の両方の第１留具１２を背負い用上部係合環４４に引っ掛ける。また、一対の楽器ケース用ベルト１のうち一方の第２留具１３を、一方の背負い用下部係合環４５に引っ掛ける。さらに、他方の第２留具１３を、他方の背負い用下部係合環４５に引っ掛ける。
【００４６】
そして、左右の楽器ケース用ベルト１と楽器ケース１００との間に使用者の左右の腕をそれぞれ通すことによって、楽器ケース１００を支持することができる。
【００４７】
一方、楽器ケース１００を肩から提げて使用するときは、まず、一対の楽器ケース用ベルト１を楽器ケース１００から取り外す。
【００４８】
次に、図５に示すように、調整環１１を折返し端１０ｅに向かって動かしてベルト挿通孔１５に挿通し、ベルト挿通孔１５よりも折返し端１０ｅ側に位置させる。その上で、調整環１１を動かし、楽器ケース１００を肩から提げるために適した長さに楽器ケース用ベルト１の全長を調整する。
【００４９】
次に、図２に示すように、一方の楽器ケース用ベルト１の第１留具１２及び第２留具１３を一対の肩掛け用係合環４３にそれぞれ引っ掛ける。そして、楽器ケース用ベルト１と楽器ケース１００との間に使用者の一方の腕を通して、肩から提げることによって楽器ケース１００を支持することができる。
【００５０】
以上のように、本実施の形態の楽器ケース１００の楽器ケース用ベルト１は、調整環１１をベルト挿通孔１５に挿通することができるので、楽器ケース用ベルト１の長さ寸法を大きく変更することができる。これによって、楽器ケース用ベルト１の長さを楽器ケース１００を肩から提げる場合及び背負う場合に応じた適切な長さとなるように調整することができる。これによって、楽器ケース１００を肩から提げるためのベルト及び楽器ケース１００を背負うためのベルトという二つの楽器ケース用ベルトを用意する必要がなくなり、楽器ケースの構成が簡素になり、また楽器ケースが軽量となる。よって、携帯に有利となる。
【００５１】
（実施の形態２）
［構成］
図６は、本発明の実施の形態２に係る楽器ケースの楽器ケース用ベルト１０１の構成例を示す正面図である。図７は、楽器ケース用ベルト１０１の構成例を示す正面図であり、ベルト本体１１０を伸ばした状態を示す正面図である。
【００５２】
本実施の形態と上記実施の形態１とは、ベルト本体１０のクッションパッド１４への取り付けにおいて相違する。
【００５３】
本実施の形態において、楽器ケース用ベルト１は、ベルト本体１０をその長さ方向にスライド自在に支持し、且つクッションパッド１４に係止する係止部材１１４を有する。係止部材１１４は、ベルト本体１０の折返し端１０ｅが挿通されている環状部１１４ａと、環状部１１４ａと連結されている係止部１１４ｂとを有する。
【００５４】
そして、上記実施の形態１において、ベルト本体１０は、そのベルト本体１０の第２端部１０ｂから折返し端１０ｅに向かう方向をクッションパッド１４の第２端部１４ｂから第１端部１４ａに向かう方向と一致させてベルト本体１０の第２端部１０ｂがクッションパッド１４の他方の端部である第２端部１４ｂに取り付けられている。しかし、本実施の形態においては、ベルト本体１０の折返し端１０ｅから第２端部１０ｂに向かう方向をクッションパッド１４の第２端部１４ｂから第１端部１４ａに向かう方向と一致させて、係止部材１１４の係止部１１４ｂとクッションパッド１４とが縫合されることによって、ベルト本体１０の折返し端１０ｅがクッションパッド１４の他方の端部である第２端部１４ｂに係止されている。  また、本実施の形態において、第２留具１１３は、第１環状部１１３ｂが係止部１１４ｂに連結されることによって、クッションパッド１４の第２端部１４ｂに取り付けられている。しかし、これに限られるものではなく、これに代えて、第２留具１３は、クッションパッド１４に直接取り付けられてもよい。
【００５５】
更に、本実施の形態において、クッションパッド１４の第２端部１４ｂは、第２留具１１３よりもクッションパッド１４の第１端部１４ａから第２端部１４ｂに向かう方向に突出するように形成されている。これによって、図１に示すように、楽器ケース１００を背負った際に使用者の肩に第２留具１１３が食い込まないようになっており、使用者の身体にかかる負担を軽減することができる。これ以外については、実施の形態１と同様である。
【００５６】
［使用例］
次に、本実施の形態の楽器ケース１００の使用例を説明する。
【００５７】
まず、楽器ケース１００を背負って使用するときは、図６に示すように、ベルト挿通孔１５よりも第２端部１０ｂ側に調整環１１を位置させ、楽器ケース１００を背負うために適した長さに楽器ケース用ベルト１の全長を調整する。
【００５８】
次に、一対の楽器ケース用ベルト１の両方の第２留具１１３を背負い用上部係合環４４に引っ掛ける。また、一対の楽器ケース用ベルト１のうち一方の第１留具１２を、一方の背負い用下部係合環４５に引っ掛ける。さらに、他方の第１留具１２を、他方の背負い用下部係合環４５に引っ掛ける。
【００５９】
そして、左右の楽器ケース用ベルト１と楽器ケース１００との間に使用者の左右の腕をそれぞれ通すことによって、楽器ケース１００を支持することができる。
【００６０】
一方、楽器ケース１００を肩に掛けて使用するときは、まず、一対の楽器ケース用ベルト１を楽器ケース１００から取り外す。
【００６１】
次に、図７に示すように、調整環１１を折返し端１０ｅに向かって動かしてベルト挿通孔１５に挿通し、ベルト挿通孔１５よりも折返し端１０ｅ側に位置させる。その上で、調整環１１を動かし、楽器ケース１００を肩から提げるために適した長さに楽器ケース用ベルト１の全長を調整する。
【００６２】
次に、一方の楽器ケース用ベルト１の第１留具１２及び第２留具１３を一対の肩掛け用係合環４３にそれぞれ引っ掛ける。そして、楽器ケース用ベルト１と楽器ケース１００との間に使用者の一方の腕を通して、肩に掛けることによって楽器ケース１００を支持することができる。
【００６３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６４】
本発明は、楽器の持ち運びに用いるケースへの適用に有用である。
【符号の説明】
【００６５】
１  楽器ケース用ベルト
２  楽器ケース本体
１０  ベルト本体
１０ａ  第１端部
１０ｂ  第２端部
１０ｃ  折返し部
１０ｄ  残余部
１０ｅ  折返し端
１１  調整環
１１ａ  側辺部
１１ｂ  端部連結辺部
１１ｃ  中間連結辺部
１１ｄ  挿通孔
１２  第１留具
１２ａ  フック部
１２ｂ  環状部
１３  第２留具
１３ａ  フック部
１３ｂ  環状部
１４  クッションパッド
１４ａ  第１端部
１４ｂ  第２端部
１５  ベルト挿通孔
４０  収納部
４１  底部
４２  周壁部
４３  肩掛け用係合環
４４  背負い用上部係合環
４５  背負い用下部係合環
１００  楽器ケース
【図１】
2014018567.tif 000003
【図２】
2014018567.tif 000004
【図３】
2014018567.tif 000005
【図４】
2014018567.tif 000006
【図５】
2014018567.tif 000007
【図６】
2014018567.tif 000008
【図７】
2014018567.tif 000009